【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
モジュールキャリアユニットにツーリングモジュールを装着するステップと、
前記モジュールキャリアユニットが、射出成形プレスの支持部材上に載置されるように、前記モジュールキャリアユニットを前記成形プレスに挿入するステップと、
前記ツーリングモジュールをモールドベースの突き出し側に結合するステップと、
を含む方法。
【請求項２】
前記ツーリングモジュールを装着するステップは、前記ツーリングモジュールをキャリアカートから取り外すことを含む、請求項１に記載の方法。
【請求項３】
前記モジュールキャリアユニットを、前記キャリアカートから前記成形プレスへ、オーバーヘッドクレーンを用いて移動させるステップをさらに含む、請求項２に記載の方法。
【請求項４】
前記装着するステップは、１以上のエアロックにより、前記ツーリングモジュールを前記モジュールキャリアユニットにロックすることを含む、請求項１に記載の方法。
【請求項５】
前記支持部材は、少なくとも１つのタイバーを含む、請求項１に記載の方法。
【請求項６】
前記モジュールキャリアユニットを挿入する前に前記成形プレスを開くステップをさらに含む、請求項１に記載の方法。
【請求項７】
前記ツーリングモジュールに対する前記モジュールキャリアユニットのロックを解除するステップと、前記成形プレスを開くステップと、前記モジュールキャリアユニットを前記成形プレスから取り外すステップと、をさらに含む、請求項１に記載の方法。
【請求項８】
前記モジュールキャリアユニットをキャリアカートに配置するステップをさらに含む、請求項７に記載の方法。
【請求項９】
前記ツーリングモジュールが前記モールドベースの射出側と結合するように前記成形プレスを閉じるステップと、前記ツーリングモジュール内にねじ成形コアを挿入するステップと、
前記モールドベースの前記射出側から成形用材料を前記ツーリングモジュール内に押し出し、前記ツーリングモジュールを冷却するステップと、
前記ねじ成形コアを前記ツーリングモジュールから繰り出すステップと、
をさらに含む、請求項７に記載の方法。
【請求項１０】
ツーリングモジュールを運ぶモジュールキャリアユニットが成形プレスの支持部材上に載置されるまで前記モジュールキャリアユニットを前記成形プレス内に挿入するステップと、
前記成形プレス内のモールドベースの突き出し側のロックを開くステップと、
前記ツーリングモジュールが前記成形プレス内の前記モールドベースの前記突き出し側に結合されるまで、前記成形プレスを閉じるステップと、前記モールドベースの前記突き出し側の前記ロックを閉じ、前記モジュールキャリアユニットのロックを開くステップと、
前記モジュールキャリアユニットを前記成形プレスから取り外すステップと、
を含む、方法。
【請求項１１】
前記モジュールキャリアユニットを前記成形プレスから取り外すステップは、前記成形プレスを開くことを含む、請求項１０に記載の方法。
【請求項１２】
前記モジュールキャリアユニットを前記成形プレスから取り外すステップは、前記モジュールキャリアユニットを、前記モジュールキャリアユニットを支持する受けレールを含む載置台に載せることを含む、請求項１０に記載の方法。
【請求項１３】
前記ツーリングモジュール内にねじ成形コアを挿入するステップと、
前記ツーリングモジュール内に成形材料を押し出すステップと、
ねじ山を形成するステップと、
前記ねじ成形コアを、前記ツーリングモジュールから前記モールドベースの射出側に退避させるステップと、
をさらに含む、請求項１０に記載の方法。
【請求項１４】
前記モールドベースの前記突き出し側の前記ロックは、通常閉じているエアロックを含む、請求項１０に記載の方法。
【請求項１５】
前記キャリアユニットの前記ロックは、通常閉じているエアロックを含む、請求項１０に記載の方法。
【請求項１６】
ツーリングモジュールと結合するモールドベースを含む成形プレスにモジュールキャリアユニットを挿入するステップと、
前記ツーリングモジュールが前記モジュールキャリアユニットと結合するまで前記成形プレスを閉じるステップと、
前記成形プレスを開いて前記モールドベースから前記ツーリングモジュールを取り外すステップと、
前記成形プレスから前記ツーリングモジュールおよび前記モジュールキャリアユニットを取り外すステップと、を含む、方法。
【請求項１７】
前記成形プレスから前記ツーリングモジュールおよび前記モジュールキャリアユニットを取り外すステップは、前記モジュールキャリアユニットを、前記モジュールキャリアユニットを支持する受けレールを含む載置台に載せることを含む、請求項１６に記載の方法。
【請求項１８】
前記成形プレスを操作するために前記キャリアユニットから前記ツーリングモジュールを取り外すステップをさらに含む、請求項１に記載の方法。
【請求項１９】
ツーリングモジュールを成形プレスに対してすばやく取り付けかつ取り外すためのモジュールキャリアであって、取り付けプレートと、前記ツーリングモジュールを前記取り付けプレートに取り付け、少なくとも１つのツーリングモジュールが操作のために前記成形プレスに固定される場合は、前記ツーリングモジュールを前記取り付けプレートから取り外すロック機構とを備える、モジュールキャリア。
【請求項２０】
前記ロック機構は、少なくとも１つの油圧ロックを含む、請求項１８に記載のモジュールキャリア。
【請求項２１】
引き上げ構造をさらに備える、請求項１８に記載のモジュールキャリア。
【請求項２２】
前記引き上げ構造は、アイボルトを含む、請求項１８に記載のモジュールキャリア。
【請求項２３】
前記アイボルトは、前記取り付けプレートの細長い表面に沿って延びる第１の軸と、前記第１の軸に対して垂直な第２の軸とに関して回転可能である、請求項２１に記載のモジュールキャリア。
【請求項２４】
前記取り付けプレートの上端に沿って取り付けられるバー取付具をさらに備える、請求項１８に記載のモジュールキャリア。
【請求項２５】
ツーリングモジュールを着脱するシステムであって、
成形プレスと、
前記成形プレスに取り付けられ、少なくとも１つのツーリングモジュールを内部に収容する突き出し側と、前記成形プレスを操作するために前記突き出し側に結合された射出側とを有するモールドベースと、
前記モールドベースの前記突き出し側で前記ツーリングモジュールを収容し、前記ツーリングモジュールが前記モールドベースの前記突き出し側に固定されている場合は、前記成形プレスから離れるように前記ツーリングモジュールに取り付けられるツーリングモジュールキャリアユニットと、
を備えるシステム。
【請求項２６】
前記ツーリングモジュールを収納して前記成形プレスに挿入する準備をするために前記成形プレスから取り外されるキャリアカートをさらに備える、請求項２５に記載のシステム。
【請求項２７】
前記キャリアカートは、前記キャリアユニット対する前記ツーリングモジュールの取り付けおよび取り外しを容易にする支持構造を有する、請求項２５に記載のシステム。
【請求項２８】
モジュールキャリアユニットにツーリングモジュールを装着するステップと、
前記モジュールキャリアユニットが、射出成形プレスの少なくとも１つのタイバー上に載置されるように、前記モジュールキャリアユニットを前記成形プレスに挿入するステップと、
前記ツーリングモジュールがモールドベースの突き出し側と結合するまで前記成形プレスを閉じるステップと、
を含む方法。
【請求項２９】
前記ツーリングモジュールを装着するステップは、前記ツーリングモジュールをキャリアカートから取り外すことを含む、請求項２８に記載の方法。
【請求項３０】
前記モジュールキャリアユニットを、前記キャリアカートから前記成形プレスへ、オーバーヘッドクレーンを用いて移動させるステップをさらに含む、請求項２９に記載の方法。
【請求項３１】
前記モジュールキャリアユニットを挿入する前に前記成形プレスを開くステップをさらに含む、請求項２８に記載の方法。
【請求項３２】
前記ツーリングモジュールに対する前記モジュールキャリアユニットのロックを解除するステップと、
前記成形プレスを開くステップと、
前記モジュールキャリアユニットを前記成形プレスから取り外すステップと、
をさらに含む、請求項２８に記載の方法。
【請求項３３】
前記モジュールキャリアユニットをキャリアカートに配置するステップをさらに含む、請求項３２に記載の方法。
【請求項３４】
ツーリングモジュールを１以上のエアロックによりモジュールキャリアユニットにロックするステップと、
前記モジュールキャリアユニットが、射出成形プレスの支持部材上に載置されるように、前記モジュールキャリアユニットを前記射出成形プレスに挿入するステップと、
前記ツーリングモジュールがモールドベースの突き出し側と結合するまで前記成形プレスを閉じるステップと、
を含む方法。
【請求項３５】
ツーリングモジュールをモジュールキャリアユニットに装着するステップと、
前記モジュールキャリアユニットが、射出成形プレスの支持部材上に載置されるように、前記モジュールキャリアユニットを前記射出成形プレスに挿入するステップと、
前記ツーリングモジュールがモールドベースの突き出し側と結合するまで前記成形プレスを閉じるステップと、
前記ツーリングモジュールに対する前記モジュールキャリアユニットのロックを解除するステップと、
前記成形プレスを開くステップと、
前記モジュールキャリアユニットを前記成形プレスから取り外すステップと、
前記ツーリングモジュールが前記モールドベースの突き出し側と結合するまで前記成形プレスを閉じるステップと、
前記ツーリングモジュール内にねじ成形コアを挿入するステップと、
前記モールドベースの前記射出側から成形用材料を前記ツーリングモジュール内に押し出すステップと、
前記ツーリングモジュールを冷却するステップと、
前記ねじ成形コアを前記ツーリングモジュールから繰り出すステップと、
を含む方法。
【請求項３６】
ツーリングモジュールを運ぶモジュールキャリアユニットが射出成形プレスの支持部材上に載置されるまで前記モジュールキャリアユニットを前記射出成形プレス内に挿入するステップと、
前記成形プレス内のモールドベースの突き出し側のロックを開くステップと、
前記ツーリングモジュールが前記射出成形プレス内の前記モールドベースの前記突き出し側に結合されるまで、前記射出成形プレスを閉じるステップと、
前記モールドベースの前記突き出し側の前記ロックを閉じるステップと、
前記モジュールキャリアユニットのロックを開くステップと、
前記モジュールキャリアユニットを前記射出成形プレスから取り外すステップと、
を含む、方法。
【請求項３７】
前記モジュールキャリアユニットを前記射出成形プレスから取り外すステップは、前記射出成形プレスを開くことを含む、請求項３６に記載の方法。
【請求項３８】
前記モジュールキャリアユニットを前記射出成形プレスから取り外すステップは、前記モジュールキャリアユニットを、前記モジュールキャリアユニットを支持する受けレールを含む載置台に載せることを含む、請求項３６に記載の方法。
【請求項３９】
前記ツーリングモジュール内にねじ成形コアを挿入するステップと、
前記ツーリングモジュール内に成形用材料を押し出し、ねじ部品を形成するステップと、
前記ねじ成形コアを、前記ツーリングモジュールから前記モールドベースの射出側に退避させるステップと、
をさらに含む、請求項３６に記載の方法。
【請求項４０】
前記モールドベースの前記突き出し側の前記ロックは、通常閉じているエアロックを含む、請求項３６に記載の方法。
【請求項４１】
前記キャリアユニットの前記ロックは、通常閉じているエアロックを含む、請求項３６に記載の方法。
【請求項４２】
ツーリングモジュールが結合されるモールドベースを有する成形プレス内にモジュールキャリアユニットを挿入するステップと、
前記ツーリングモジュールが前記モジュールキャリアユニットに結合されるまで、前記成形プレスを閉じるステップと、
前記モールドベースから前記ツーリングモジュールを取り外すために前記モールドベースを開くステップと、
前記成形プレスから前記ツーリングモジュールおよび前記モジュールキャリアユニットを取り外すステップと、
を含む方法。
【請求項４３】
前記ツーリングモジュールおよび前記モジュールキャリアユニットを前記成形プレスから取り外すステップは、前記モジュールキャリアユニットを、前記モジュールキャリアユニットを支持する受けレールを含む載置台に載せることを含む、請求項４２に記載の方法。
【手続補正２】
【補正対象書類名】明細書
【補正対象項目名】００３８
【補正方法】変更
【補正の内容】
【００３８】
本発明とその利点を詳細に説明してきたが、添付の特許請求の範囲に定義された本発明の趣旨および範囲から逸脱しない範囲において、本明細書に対する様々な変更、代替、および修正が可能であることを理解されたい。さらに、本出願の範囲は、本明細書に記載されたプロセス、機械装置、製造、物質の組成、手段、方法およびステップなどの特定の実施形態に限られることを意図したものではない。当業者であれば、本発明の開示から容易に理解できるように、現在存在している、または、今後開発される、本明細書に記載されている実施形態と実質的に同様の効果を奏する、もしくは実質的に同様の結果をもたらす対応するプロセス、機械装置、製造、物質の組成、手段、方法およびステップは、本発明に従い利用され得る。従って、添付の特許請求の範囲は、それらのプロセス、機械装置、製造、物質の組成、手段、方法およびステップを含むことを意図している。
本明細書は以下の概念を開示している。
概念１
モジュールキャリアユニットにツーリングモジュールを装着するステップと、
前記モジュールキャリアユニットが、射出成形プレスの支持部材上に載置されるように、前記モジュールキャリアユニットを前記成形プレスに挿入するステップと、
前記ツーリングモジュールがモールドベースの突き出し側と結合するまで前記成形プレスを閉じるステップと、
を含む方法。
概念２
前記ツーリングモジュールを装着するステップは、前記ツーリングモジュールをキャリアカートから取り外すことを含む、概念１に記載の方法。
概念３
前記モジュールキャリアユニットを、前記キャリアカートから前記成形プレスへ、オーバーヘッドクレーンを用いて移動させるステップをさらに含む、概念２に記載の方法。
概念４
前記装着するステップは、１以上のエアロックにより、前記ツーリングモジュールを前記モジュールキャリアユニットにロックすることを含む、概念１に記載の方法。
概念５
前記支持部材は、少なくとも１つのタイバーを含む、概念１に記載の方法。
概念６
前記モジュールキャリアユニットを挿入する前に前記成形プレスを開くステップをさらに含む、概念１に記載の方法。
概念７
前記ツーリングモジュールに対する前記モジュールキャリアユニットのロックを解除するステップと、前記成形プレスを開くステップと、前記モジュールキャリアユニットを前記成形プレスから取り外すステップと、をさらに含む、概念１に記載の方法。
概念８
前記モジュールキャリアユニットをキャリアカートに配置するステップをさらに含む、概念７に記載の方法。
概念９
前記ツーリングモジュールが前記モールドベースの射出側と結合するように前記成形プレスを閉じるステップと、前記ツーリングモジュール内にねじ成形コアを挿入するステップと、
前記モールドベースの前記射出側から可動材料を前記ツーリングモジュール内に押し出し、前記ツーリングモジュールを冷却するステップと、
前記ねじ成形コアを前記ツーリングモジュールから繰り出すステップと、
をさらに含む、概念７に記載の方法。
概念１０
ツーリングモジュールを運ぶモジュールキャリアユニットが成形プレスの支持部材上に載置されるまで前記モジュールキャリアユニットを前記成形プレス内に挿入するステップと、
前記成形プレス内のモールドベースの突き出し側のロックを開くステップと、
前記ツーリングモジュールが前記成形プレス内の前記モールドベースの前記突き出し側に結合されるまで、前記成形プレスを閉じるステップと、前記モールドベースの前記突き出し側の前記ロックを閉じ、前記モジュールキャリアユニットのロックを開くステップと、
前記モジュールキャリアユニットを前記成形プレスから取り外すステップと、
を含む、方法。
概念１１
前記モジュールキャリアユニットを前記成形プレスから取り外すステップは、前記成形プレスを開くことを含む、概念１０に記載の方法。
概念１２
前記モジュールキャリアユニットを前記成形プレスから取り外すステップは、前記モジュールキャリアユニットを、前記モジュールキャリアユニットを支持する受けレールを含む載置台に載せることを含む、概念１０に記載の方法。
概念１３
前記ツーリングモジュール内にねじ成形コアを挿入するステップと、
前記ツーリングモジュール内に成形材料を押し出すステップと、
ねじ山を形成するステップと、
前記ねじ成形コアを、前記ツーリングモジュールから前記モールドベースの射出側に退避させるステップと、
をさらに含む、概念１０に記載の方法。
概念１４
前記モールドベースの前記突き出し側の前記ロックは、通常閉じているエアロックを含む、概念１０に記載の方法。
概念１５
前記キャリアユニットの前記ロックは、通常閉じているエアロックを含む、概念１０に記載の方法。
概念１６
ツーリングモジュールと結合するモールドベースを含む成形プレスにモジュールキャリアユニットを挿入するステップと、
前記ツーリングモジュールが前記モジュールキャリアユニットと結合するまで前記成形プレスを閉じるステップと、
前記成形プレスを開いて前記モールドベースから前記ツーリングモジュールを取り外すステップと、
前記成形プレスから前記ツーリングモジュールおよび前記モジュールキャリアユニットを取り外すステップと、を含む、方法。
概念１７
前記成形プレスから前記ツーリングモジュールおよび前記モジュールキャリアユニットを取り外すステップは、前記モジュールキャリアユニットを、前記モジュールキャリアユニットを支持する受けレールを含む載置台に載せることを含む、概念１６に記載の方法。